(57)【特許請求の範囲】
【請求項１】
室内の壁を接着するシール帯により、収容室内を、矩形以外の形状であって、少なくとも３つの収納部に区分けすると共に、中央の収納部に収納する内容物と中央の収納部以外に収納する内容物とが別種のものであって、上記収容室に外部から圧力が加えられた時に少なくとも中央収納部に向けて突出するシール帯部分が容易に剥がれる、イージーピールで構成される混合袋であって、上記中央収納部に向けて突出するシール帯部分が、平行で、該中央収納部が菱形形状で形成され、そのために収容室の外部から圧力が加えられた時に菱形形状の中央収納部シール帯部分に対して鋭角状に突出するシール帯部分からなるイージーピール部分の鋭角突出部分からシール帯が剥がれ、これらの室内の内容物が中央収納部内で円を描くように流されて、その流れによってこれらの内容物が混合されることを特徴とする混合袋。
【請求項２】
室内の壁を接着するシール帯により、収容室内を、矩形以外の形状であって、少なくとも３つの収納部に区分けすると共に、中央の収納部に収納する内容物と中央の収納部以外に収納する内容物とが別種のものであって、上記収容室に外部から圧力が加えられた時に少なくとも中央収納部に向けて突出するシール帯部分が容易に剥がれる、イージーピールで構成される混合袋であって、上記中央収納部に向けて突出するシール帯部分が、該中央収納部の一側で尻窄まり状に形成され、その突出部分が向き合う状態に形成され、そのために収容室の外部から圧力が加えられた時に互いに尻窄まり状に形成され、向き合う状態に形成されたシール帯部分の突出部分の鋭角状のシール帯部分からなるイージーピール部分からシール帯が剥がれ、これらの室内の内容物が向かい合うところでぶつかり合って中央収納部内で反対方向の２つの分流を生じ、その流れによってこれらの内容物が混合されることを特徴とする混合袋。
【請求項３】
上記中央収納部以外の収納部内に球状体を予め入れておき、内容物が混合される際に、その混合・攪拌を促進するようにしたことを特徴とする請求項１乃至２に記載の混合袋。
【発明の詳細な説明】
【技術分野】
【０００１】
本発明は、２以上の材料を混和・練和する場合に使用される、混合袋に関する。特に、歯科医療において模型材料として使用される石膏粉末と液体（通常、水）との攪拌・混合（通常「混和」という。）や、印象採得用の印象材として使用されるアルジネート粉末と液体（通常、水）との攪拌・混合（通常「練和」という。）を手軽に行うことのできる混合袋について提案するものである。
【背景技術】
【０００２】
歯科医療においては、模型材料として石膏が、印象採得用の印象材としてアルジネートが使用されている。石膏やアルジネートは、粉末状態（石膏粉末、アルジネート粉末）で水と混和乃至練和し、ペースト状（硬さは種々ある）にして使用される。
【０００３】
これらの混和・練和するに際し、従来用いられた方法では、歯科用粉末と水との混和乃至練和は十分になされないという問題を抱えているため、本発明者は、図６に示すように、外周端部の周辺部にシール部を設けて袋体４を構成し、かつ該袋体４を二室に区画するシール帯２ａを設け、更に該シール帯２ａにより区画した二室（収納部３ａ及び３ｂ）の各々に別種の内容物を収納し、使用時に前記のシール帯２ａの一部を剥離させて一方の室（収納部３ｂ）のものを他室（収納部３ａ）に導入させ、前記の別種の内容物を混合し得る混合袋であって、上記シール帯２ａが、袋体４の二室に対して斜めに形成されており、その鋭角端部の先の部分に、イージーピール部１ａが設けられる構成の提案を行った。
【０００４】
このような構成によれば、一方の室（Ａ材料の入っている収納部３ｂ）を握るなどしてその室に外圧をかけることで、該室内の内圧が高まって、イージーピール部１ａが剥がれ、その室の内容物Ａが、他方の室（Ｂ材料の入っている収納部３ａ）の方に突出している鋭角先端部から、他方の室内を、渦潮が巻くような流れ方で、流れ込んでくるため、両内容物ＡとＢとが十分に混和乃至練和できるようになる。また、この現象は、袋体４内部で起こるので、外部からの空気も混入することがない。
【発明の開示】
【発明が解決しようとする課題】
【０００５】
確かに、両内容物が十分に混和乃至練和できるようになったが、一方の室に外圧をかける際に、その扱いが不慣れな者が行う場合、その握り具合によっては、このような流れを効果的に起こすことができない者も一部にはいることが明らかとなった。
【０００６】
本発明は、以上のような実情に鑑み創案されたものであって、扱いが不慣れな者であっても、収容室の外部から圧力を加えれば、内容物の混和乃至練和がさらに簡単且つ十分にできるようになる混合袋を提供せんとするものである。
【課題を解決するための手段】
【０００７】
本発明の構成は、
室内の壁を接着するシール帯により、収容室内を、矩形以外の形状であって、少なくとも３つの収納部に区分けすると共に、中央の収納部に収納する内容物と中央の収納部以外に収納する内容物とが別種のものであって、上記収容室に外部から圧力が加えられた時に少なくとも中央収納部に向けて突出するシール帯部分が容易に剥がれる、イージーピールで構成され、且つ収容室の外部から圧力が加えられた時に、イージーピール部分からシール帯が剥がれ、これらの内容物が混合されることを基本的な特徴としている。
【０００８】
上記構成によれば、中央の収納部の形状が矩形以外の形状であるから、少なくとも中央収納部に向けて突出するシール帯のイージーピール部分が２以上存在することになり、収容室に対し外部から圧力が加えられた時に、少なくとも中央収納部に向けて突出するシール帯の該イージーピール部分が容易に剥がれ、２以上の周りの収納部から中央収納部にこれらの内容物が流れ込んで、該中央収納部内で特定の流れを作り、２種の内容物が容易に且つ十分に混和乃至練和されることになる。
【０００９】
特に、上記中央収納部に向けて突出するシール帯部分が、平行で、該中央収納部が菱形形状で形成され、そのために収容室の外部から圧力が加えられた時に菱形形状の中央収納部シール帯部分に対して鋭角状に突出するシール帯部分からなるイージーピール部分の鋭角突出部分からシール帯が剥がれ、これらの室内の内容物が「中央収納部内で円を描くような流れを作る構成」の場合には、その流れによってこれらの内容物が、より容易に且つ十分に混和乃至練和されることになる。
【００１０】
また、上記中央収納部に向けて突出するシール帯部分が、該中央収納部の一側で尻窄まり状に形成され、その突出部分が向き合う状態に形成され、そのために収容室の外部から圧力が加えられた時に互いに尻窄まり状に形成され、向き合う状態に形成されたシール帯部分の突出部分の鋭角状のシール帯部分からなるイージーピール部分からシール帯が剥がれ、これらの室内の内容物が向かい合うところでぶつかり合って「中央収納部内で反対の流れになる２つの分流を生じるような構成」の場合には、その流れによってこれらの内容物が、より容易に且つ十分に混和乃至練和されることになる。
【００１１】
上記いずれの構成においても、中央収納部以外の収納部内にパチンコ玉のような球状体を予め入れておくと、内容物が混合される際に、その混合・攪拌が促進されるようになる。
【発明の効果】
【００１２】
本発明の上記構成によれば、収容室に対し外部から圧力が加えられた時に、中央収納部に向けて突出する少なくとも２以上存在するイージーピール部分が容易に剥がれ、２以上の周りの収納部から中央収納部にこれらの内容物が流れ込んで、該中央収納部内で特定の流れを作り、２種の内容物が容易に且つ十分に混和乃至練和されることになるという優れた効果を奏し得ることになる。
【００１３】
また、上記室内の内容物が「中央収納部内で円を描くような流れを作る構成」の場合には、その流れによってこれらの内容物が、より容易に且つ十分に混和乃至練和されることになる。
【００１４】
さらに、室内の内容物が向かい合うところでぶつかり合って「中央収納部内で反対の流れになる２つの分流を生じるような構成」の場合には、その流れによってこれらの内容物が、より容易に且つ十分に混和乃至練和されることになる。
【発明を実施するための最良の形態】
【００１５】
以下、本発明の実施の形態を図示例と共に説明する。
【実施例１】
【００１６】
図１〜図３は、本発明の一実施例を示す図面である。
図１に示すように、本実施例構成は、室内の壁を接着するシール帯により、収容室内につき、中央収納部が大きな平行四辺形、両端がそれより小さな三角形の形状に区分けされており、また、外周端部の周辺部は、後述する内層同士を熱溶着したシール帯で接着されていて、１つの袋体４で構成されている。
【００１７】
該袋体４は少なくとも外層（基材）と内層を備えた二層以上の積層フィルムの周縁部が密封されており、周縁部の内側空間内が対向する内層同士を熱溶着したシール帯で仕切られており、他方夫々の収納部３ａ、３ｂ及び３ｃを仕切るシール帯２ａ及び２ｂは、後述するように収容室に外部から圧力が加えられた時に少なくとも中央収納部３ａに向けて突出するシール帯２ａ及び２ｂ部分が容易に剥がれるポリエチレンのイージーピールフィルムで構成されている。
【００１８】
その仕切りによって仕切られた両端の小さな三角形状の収納部３ｂ及び３ｃには、内容物Ａ（上記水）が、また、中央収納部３ａには、内容物Ｂ（上記歯科用粉末）が収納されている。尚、上記積層フィルムには各種樹脂製のものが使用することができる。
【００１９】
上述のように、上記収容室に外部から圧力が加えられた時に少なくとも中央収納部３ａに向けて突出するシール帯２ａ及び２ｂ部分が容易に剥がれる、イージーピールで構成されている（イージーピール部１ａ及び１ｂ）ので、収容室に外部から圧力が加えられた時に、少なくとも中央収納部３ａに向けて突出するシール帯２ａ及び２ｂ部分（イージーピール部１ａ及び１ｂ）から容易に剥がれることになる。
【００２０】
このように、中央収納部３ａに向けて突出するシール帯２ａ及び２ｂ部分が、平行で、該中央収納部３ａが菱形形状で形成され、そのために収容室の外部から圧力が加えられた時に鋭角状のシール帯部分からなるイージーピール部１ａ及び１ｂからシール帯が剥がれ、これらの室内の内容物が図３で示すように、「中央収納部３ａ内で円を描くような流れを作る」本実施例の構成の場合には、その流れによってこれらの内容物が、より容易に且つ十分に混和乃至練和されることになる。
【００２１】
また、これらの混和乃至練和の最中にイージーピール部１ａ及び１ｂ以外のシール帯２ａ及び２ｂの部分も、次第に剥がれて、全室が最終的に連通することになる。本実施例構成では、内容物Ａのある片側の収納部３ｃの端に、混和・練和された後の内容物の取り出しを容易にするために、図面上一点鎖線で示される、切り裂きミシン目が設けられている。
【００２２】
上記のような構成を有しているため、図２に示すように、両側の収納部３ｂ及び３ｃ（Ａ材料の入っている収納部）を握るなどしてその室に外圧をかけると、該室内の内圧が高まって、鋭角状のシール帯部分からなるイージーピール部１ａ及び１ｂからシール帯が剥がれ、これらの室内の内容物が図３で示すように、「中央収納部３ａ内で円を描くような流れを作る」ようになり、両端の小さな三角形状の収納部３ｂ及び３ｃ内の内容物Ａ（上記水）と中央収納部３ａ内の内容物Ｂ（上記歯科用粉末）とが十分に混和乃至練和できるようになる。もちろん、この現象は、袋体４内部で起こるので、外部からの更なる空気が混入することもない。
【００２３】
本発明者が既に提案した他の構成に比べて、流れ方が、根本的に異なり（既に提案した構成では突出した１のイージーピール部１ａから渦潮のような一方的な流れを作るようになるのに対し、本実施例構成では２つの突出したイージーピール部１ａ及び１ｂから「中央収納部３ａ内で円を描くような流れを作る」ようになる）、既に提案した構成では、扱いが不慣れな者では、全体の流れが渦潮のようにならず、渦潮の外に滞留部分を残して、内容物の混和乃至練和が一部進行しなくなってしまうのに対し、本実施例構成では中央収納部３ａ内で円を描くような流れを作るようになるため、両内容物ＡとＢとが、空気のない状態で、非常に良く混和乃至練和できるようになる。
【実施例２】
【００２４】
図４は、本発明構成の他の実施例構成を示す説明図である。本実施例構成は、室内の壁を接着するシール帯により、収容室内につき、中央収納部３ａが大きな三角形、両端３ｂ及び３ｃがそれより小さな三角形の形状に区分けされており、また、外周端部の周辺部は、内層同士を熱溶着したシール帯で接着されていて、１つの袋体４で構成されている。
【００２５】
上記実施例１の構成と同様に、該袋体４は少なくとも外層（基材）と内層を備えた二層以上の積層フィルムの周縁部が密封されており、周縁部の内側空間内が対向する内層同士を熱溶着したシール帯で仕切られており、他方夫々の収納部３ａ、３ｂ及び３ｃを仕切るシール帯２ａ及び２ｂは、後述するように収容室に外部から圧力が加えられた時に少なくとも中央収納部３ａに向けて突出するシール帯２ａ及び２ｂ部分が容易に剥がれるポリエチレンのイージーピールフィルムで構成されている。
【００２６】
その仕切りによって仕切られた両端の小さな三角形状の収納部３ｂ及び３ｃには、内容物Ａ（上記水）が、また、中央収納部３ａには、内容物Ｂ（上記歯科用粉末）が収納されている。尚、上記積層フィルムには各種樹脂製のものが使用することができる。
【００２７】
上記構成では、中央収納部３ａに向けて突出するシール帯２ａ及び２ｂ部分が、該中央収納部３ａの一側で尻窄まり状に形成され、その突出部分が向き合う状態に形成されている。そのために収容室の外部から圧力が加えられた時に鋭角状のシール帯部分からなるイージーピール部１ａ及び１ｂからシール帯が剥がれ、これらの室内の内容物が向かい合うところでぶつかり合って中央収納部３ａ内で反対の流れになる２つの分流を生じることになり、その流れによってこれらの内容物ＡとＢが混和乃至練和されることになる。
【００２８】
上述のように、上記収容室に外部から圧力が加えられた時に少なくとも中央収納部３ａに向けて突出するシール帯２ａ及び２ｂ部分が容易に剥がれる、イージーピール部１ａ及び１ｂで構成されているので、収容室に外部から圧力が加えられた時に、少なくとも中央収納部３ａに向けて突出するシール帯部分（イージーピール部１ａ及び１ｂ）から容易に剥がれることになる。
【００２９】
このように、中央収納部３ａに向けて突出するシール帯部分（イージーピール部１ａ及び１ｂ）が、該中央収納部３ａの一側で尻窄まり状に形成され、その突出部分が向き合う状態に形成され、そのために収容室の外部から圧力が加えられた時に鋭角状のシール帯部分からなるイージーピール部１ａ及び１ｂからシール帯が剥がれ、これらの室内の内容物が向かい合うところでぶつかり合って「中央収納部３ａ内で反対方向の２つの分流を生じる」本実施例の構成の場合には、その流れによってこれらの内容物が、より容易に且つ十分に混和乃至練和されることになる。
【００３０】
また、これらの混和乃至練和の最中にイージーピール部１ａ及び１ｂ以外のシール帯２ａ及び２ｂの部分も、次第に剥がれて、全室が最終的に連通することになる。本実施例構成では、内容物Ａのある片側の収納部３ｃの端に、混和・練和された後の内容物の取り出しを容易にするために、図面上一点鎖線で示される、切り裂きミシン目が設けられている。
【００３１】
上記のような構成を有しているため、上記と同様に、両側の収納部（Ａ材料の入っている収納部３ｂ及び３ｃ）を握るなどしてその室に外圧をかけると、該室内の内圧が高まって、鋭角状のシール帯部分からなるイージーピール部１ａ及び１ｂからシール帯が剥がれ、これらの室内の内容物が図５で示すように、向かい合うところでぶつかり合って「中央収納部３ａ内で反対方向の２つの分流を生じる」ようになり、両端の小さな三角形状の収納部３ｂ及び３ｃ内の内容物Ａ（上記水）と中央収納部３ａ内の内容物Ｂ（上記歯科用粉末）とが十分に混和乃至練和できるようになる。もちろん、この現象は、袋体４内部で起こるので、外部からの更なる空気が混入することもない。
【００３２】
本発明者が既に提案した他の構成に比べて、流れ方が、根本的に異なり（既に提案した構成では突出した１のイージーピール部１ａから渦潮のような一方的な流れを作るようになるのに対し、本実施例構成では２つの突出したイージーピール部１ａ及び１ｂが向かい合うところでぶつかり合って「中央収納部３ａ内で反対方向の２つの分流を生じる」ようになる）、既に提案した構成では、扱いが不慣れな者では、全体の流れが渦潮のようにならず、渦潮の外に滞留部分を残して、その部分では内容物の混和乃至練和が進行しきらないのに対し、本実施例構成では中央収納部３ａ内で流れの向きが異なる２つの分流を生じるようになるため、両内容物ＡとＢとが、空気のない状態で、非常に良く混和乃至練和できるようになる。
【００３３】
上記実施例１及び実施例２のいずれの構成においても、中央収納部以外の収納部内にパチンコ玉のような球状体を予め入れておいたものも使用してみたが、いずれの場合も、内容物ＡとＢが混合される際に、その混合・攪拌がより促進されることとなった。
【００３４】
尚、本発明の混合袋は、上述の図示例にのみ限定されるものではなく、本発明の要旨を逸脱しない範囲内において種々変更を加え得ることは勿論である。
【産業上の利用可能性】
【００３５】
本発明の混合袋は、歯科医院で使用する歯形を取るための印象材や歯科用模型を製作する際の歯科用模型につき、アルジネート粉末と、（水乃至水を主体とする）液体とを攪拌混合し、後に歯科用トレー内に盛り付けて印象を採得する方法や、歯型取りの器具に注ぎ込んで硬化させて歯形を取る例などに用いることを想定しているが、その他に、カレー、シチュー、スパゲティーソース等のレトルト食品の飲食品等の物品の充填包装に使用され、使用する直前に二成分ないしそれ以上を混合して使用するような各種の物品の充填包装用の袋としても用いることは可能である。
【図面の簡単な説明】
【００３６】
【図１】本発明の一実施例を示す構成説明図である。
【図２】両側の収納部に外圧を加えた混合袋の状態を示す説明図である。
【図３】本実施例に係る混合袋の構成により、両内容物ＡとＢとが十分に混和乃至練和できる状態を示す説明図である。
【図４】本発明の他の実施例を示す構成説明図である。
【図５】第２の実施例に係る混合袋の構成により、両内容物ＡとＢとが十分に混和乃至練和できる状態を示す説明図である。
【図６】既に提案した構成により、両内容物ＡとＢとが混和乃至練和できる状態を示す説明図である。
【符号の説明】
【００３７】
１ａ、１ｂ        イージーピール部
２ａ、２ｂ        シール帯
３ａ、３ｂ、３ｃ  収納部
４                袋体
Ａ                一方の室の内容物
Ｂ                他方の室の内容物
【要約】
【課題】  扱いが不慣れな者であっても、収容室の外部から圧力を加えれば、内容物の混和乃至練和がさらに簡単且つ十分にできるようになる混合袋を提供する。
【解決手段】  収容室の外部から圧力が加えられた時に鋭角状のシール帯部分からなるイージーピール部１ａ及び１ｂからシール帯２ａ及び２ｂが剥がれ、これらの室内の内容物が中央収納部３ａ内で円を描くような流れを作り、その流れによってこれらの内容物Ａ及びＢが、より容易に且つ十分に混和乃至練和されることになる。
【選択図】        図３【図１】
0005924629.tif 000002
【図２】
0005924629.tif 000003
【図３】
0005924629.tif 000004
【図４】
0005924629.tif 000005
【図５】
0005924629.tif 000006
【図６】
0005924629.tif 000007